(57)【要約】【課題】  低コストで、会話や運動等の日常生活に支障を来たさず、眼鏡使用者でも使用が容易で、装着時の不便や苦痛感、或いは美観を極力損ねず、確実に鼻炎症状およびこれに付随する症状を緩和する健康器具を提供する。【解決手段】  図３に示すように、健康器具としての眼鏡４は、その鼻支持部であるパッド５，５表面にイオン化傾向の異なる金属片５ａ，５ｂが図示しない粘着材で貼り付けられている。当該金属片５ａ，５ｂは例えば、銅と銀である。  前記眼鏡４を装着すると、パッド５，５に設けた金属片５ａ，５ｂが鼻部両側面近傍に当接し、イオン化傾向のより大きく陽イオンになり易い銅製の金属片５ａが電子を放出し、他方のイオン化傾向のより小さく陽イオンになり難い銀製の金属片５ｂへ電子が移動することで、両者間に微弱電流が流れる。  当該微弱電流は鼻部を導通し、花粉症鼻炎、アレルギー性鼻炎、或いは風邪性鼻炎、インフルエンザ性鼻炎による鼻水、鼻詰まり、或いはくしゃみの症状およびこれに付随する症状を緩和することができる。【選択図】図３
2005103144.tif 000002
【特許請求の範囲】
【請求項１】
少なくとも一対の互いにイオン化傾向の異なる異種金属片を、鼻部両側面或いは鼻部を挟んだ両側周辺の顔面皮膚に各々装着することを特徴とする花粉症及び鼻炎低減装置。
【請求項２】
少なくとも一対の互いに顔面皮膚に接する表面積が異なる同種金属片を、鼻部両側面或いは鼻部を挟んだ両側周辺の顔面皮膚に各々装着することを特徴とする花粉症及び鼻炎低減装置。
【請求項３】
少なくとも一対の磁性体片を、鼻部両側面或いは鼻部を挟んだ両側周辺の顔面皮膚に接するか或いは離間して相対するように各々装着することを特徴とする花粉症及び鼻炎低減装置。
【請求項４】
上記の少なくとも一対の互いに大きさの異なる同種金属片は、同じ外形寸の対の一方に孔若しくは溝を設けることで、顔面皮膚に接する表面積を互いに異ならせることを特徴とする、請求項２に記載の花粉症及び鼻炎低減装置。
【請求項５】
上記の少なくとも一対の各片は眼鏡の少なくとも一対の鼻支持部に各々配置され、当該眼鏡装着に伴い鼻部両側面或いは鼻部を挟んだ両側周辺の顔面皮膚に各々装着されることを特徴とする、請求項１〜請求項４の何れかに記載の花粉症及び鼻炎低減装置。
【請求項６】
上記各片はマスク或いはアイマスクの内面の鼻位置近傍に配置され、当該マスク或いはアイマスク装着に伴い鼻部両側面或いは鼻部を挟んだ両側周辺の顔面皮膚に各々装着されることを特徴とする、請求項１〜請求項４の何れかに記載の花粉症及び鼻炎低減装置。
【請求項７】
上記各片は粘着テープで鼻部両側面或いは鼻部を挟んだ両側周辺の顔面皮膚に各々装着されることを特徴とする、請求項１〜請求項４に記載の花粉症及び鼻炎低減装置。
【請求項８】
上記各片は粘着材で鼻部両側面或いは鼻部を挟んだ両側周辺の顔面皮膚に各々装着されることを特徴とする、請求項１〜請求項４に記載の花粉症及び鼻炎低減装置。
【請求項９】
上記の少なくとも一対の互いにイオン化傾向の異なる異種金属片は、対の組合せが銅，アルミニウム，銀，ニッケル，亜鉛，錫，チタン，鉄，金，プラチナの内の何れか２つであることを特徴とする、請求項１に記載の花粉症及び鼻炎低減装置。
【請求項１０】
上記の少なくとも一対の互いに大きさの異なる同種金属片は、銅，アルミニウム，銀，ニッケル，亜鉛，錫，チタン，鉄，金，プラチナの内の何れかであることを特徴とする、請求項２に記載の花粉症及び鼻炎低減装置。
【請求項１１】
上記各片は全て若しくは一部が合金から成っていることを特徴とする、請求項１〜請求項８に記載の花粉症及び鼻炎低減装置。
【請求項１２】
上記磁性体片は希土類磁石、アルニコ磁石、フェライト磁石、ネオジム磁石、ラバー磁石、ＳｍＣｏ磁石、プラスチック磁石の何れかであることを特徴とする、請求項３に記載の花粉症及び鼻炎低減装置。
【請求項１３】
上記の少なくとも一対の互いにイオン化傾向の異なる異種金属片は、一方が電子を放出して陽イオンになり易いイオン化傾向の大きい金属で、他方が電子の放出が少なく陽イオンになり難い金属であることを特徴とする、請求項１或いは請求項９に記載の花粉症及び鼻炎低減装置。
【請求項１４】
上記各片の対を装着する位置は、鼻部両側面或いは、鼻部側方且つ目と口で挟まれる範囲の頬であることを特徴とする、請求項１〜請求項１３に記載の花粉症及び鼻炎低減装置。
【請求項１５】
上記花粉症及び鼻炎低減装置は、花粉症鼻炎、アレルギー性鼻炎、或いは風邪性鼻炎、インフルエンザ性鼻炎による鼻水、鼻詰まり、或いはくしゃみの症状を緩和することを特徴とする、請求項１〜請求項１４に記載の花粉症及び鼻炎低減装置。
【請求項１６】
上記各片は、複数対を鼻部両側面或いは鼻部を挟んだ両側周辺の顔面皮膚に各々装着することを特徴とする、請求項１〜請求項１５に記載の花粉症及び鼻炎低減装置。
【請求項１７】
上記各片は、円板形状や楕円板形状といった閉曲線で囲まれた形状、方形板、三角板、星型板といった多角形状、扇形といった曲線と直線を組み合わせた形状、或いは当該各形状の対の少なくとも一方に孔若しくは溝を設けた形状の何れかであることを特徴とする、請求項１〜請求項１６に記載の花粉症及び鼻炎低減装置。
【請求項１８】
少なくとも一対の互いにイオン化傾向の異なる異種金属片を、鼻部両側面或いは鼻部を挟んだ両側周辺の顔面皮膚に各々装着したことを特徴とする、花粉症及び鼻炎低減方法。
【請求項１９】
少なくとも一対の互いに顔面皮膚に接する表面積が異なる同種金属片を、鼻部両側面或いは鼻部を挟んだ両側周辺の顔面皮膚に各々装着したことを特徴とする、花粉症及び鼻炎低減方法。
【請求項２０】
少なくとも一対の磁性体片を、鼻部両側面或いは鼻部を挟んだ両側周辺の顔面皮膚に接するか或いは離間して相対するように各々装着したことを特徴とする、花粉症及び鼻炎低減方法。
【発明の詳細な説明】
【技術分野】
【０００１】
本発明は鼻炎症状を緩和する、顔面に装着する花粉症及び鼻炎低減装置及び方法に関する。
【背景技術】
【０００２】
近年、花粉症の症状を持つ人が増加している。花粉症の症状として特に、鼻水、鼻詰まり、或いはくしゃみといった所謂鼻炎症状が最も苦痛である場合が多い。こうした症状を和らげる手段として一般的に行われるものは、例えば目への花粉の侵入を抑制するゴーグルタイプの眼鏡、花粉を通さないマスクといった方法が挙げられる。
【発明の開示】
【発明が解決しようとする課題】
【０００３】
こうした方法には各々、以下のような欠点があった。
即ち、ゴーグルタイプの眼鏡をかける場合、美観上に難があること、元々眼鏡をかける人の装着は難しいこと、鼻炎症状を緩和するにはマスクと併用しなければ十分な効果が得られないこと、装着時の不便や苦痛感を伴うこと、コストが高いことなどである。
また、マスクの場合、美観上に難があること、眼鏡をかける場合には曇り易いこと、呼吸が苦しくなるため運動ができないこと、会話がし辛いこと、装着時の不便や苦痛感を伴うこと、使い捨ての場合コストがかかること、顔面形状に合わせて密着させることが難しく、多少の花粉の侵入を許してしまうことなどが挙げられる。
【課題を解決するための手段】
【０００４】
上記問題を解決するために請求項１に記載の発明は、少なくとも一対の互いにイオン化傾向の異なる異種金属片を、鼻部両側面或いは鼻部を挟んだ両側周辺の顔面皮膚に各々装着する構成としている。
上記のように構成した請求項１に記載の発明によれば、互いにイオン化傾向の異なる異種金属間で電位差を生じ、微弱電流が流れる。当該異種金属の対は鼻部両側面或いは鼻部を挟んだ両側周辺の顔面皮膚に各々装着されている為、この微弱電流は鼻部内を導通することになる。この微弱電流が作用し、鼻部に生じている炎症およびこれに付随する症状（以下、単に鼻炎症状といえば、これに付随する症状を含むものとする）を緩和する。
【０００５】
請求項２に記載の発明は、少なくとも一対の互いに顔面皮膚に接する表面積が異なる同種金属片を、鼻部両側面或いは鼻部を挟んだ両側周辺の顔面皮膚に各々装着する構成としている。
上記のように構成した請求項２に記載の発明によれば、異種の金属を用意する必要が無く、互いに顔面皮膚に接する表面積が異なる同種金属片間で電位差を生じ、微弱電流が流れる。当該同種金属片の対は鼻部両側面或いは鼻部を挟んだ両側周辺の顔面皮膚に各々装着されている為、この微弱電流は鼻部内を導通することになる。この微弱電流の作用により、鼻部に生じている炎症を緩和する。
【０００６】
請求項３に記載の発明は、少なくとも一対の磁性体片を、鼻部両側面或いは鼻部を挟んだ両側周辺の顔面皮膚に接するか或いは離間して相対するように各々装着する構成としている。
上記のように構成した請求項３に記載の発明によれば、顔面皮膚に接するか或いは離間して相対する磁性体片の対の間で磁束を生じる。当該磁性体片の対は鼻部両側面或いは鼻部を挟んだ両側周辺の顔面皮膚に各々装着されている為、この磁束は鼻部内を導通することになる。この磁束の作用により、鼻部に生じている炎症を緩和する。
【０００７】
請求項４に記載の発明は、請求項２に記載の少なくとも一対の互いに大きさの異なる同種金属片は、同じ外形寸の対の一方に孔若しくは溝を設けることで、顔面皮膚に接する表面積を互いに異ならせている。
上記のように構成した請求項４に記載の発明によれば、互いに大きさの異なる同種金属片の対は、同種金属の同じ外形寸で請求項２の作用が得られる。
【０００８】
請求項５に記載の発明は、請求項１〜請求項４に記載の少なくとも一対の各片は眼鏡の少なくとも一対の鼻支持部に各々配置され、当該眼鏡装着に伴い鼻部両側面或いは鼻部を挟んだ両側周辺の顔面皮膚に各々装着される。
尚、ここでいう眼鏡とは、度の入った一般的な眼鏡のみならず、度の有無に限定されないファッショングラス、サングラス、伊達眼鏡、或いは防護眼鏡、更にはゴーグルまでを広く含む概念である。
また、ここでいう鼻支持部とは、一般的なパッドを有する形状のみならず、眼鏡を顔面上に支持する為に鼻に接する部分及び、鼻に隣接する周囲の顔面に接する部分全てを含む概念である。
上記のように構成した請求項５に記載の発明によれば、眼鏡を掛けるだけで、請求項１〜請求項４の作用が得られる。
【０００９】
請求項６に記載の発明は、請求項１〜請求項４に記載の各片はマスク或いはアイマスクの内面の鼻位置近傍に配置され、当該マスク或いはアイマスク装着に伴い鼻部両側面或いは鼻部を挟んだ両側周辺の顔面皮膚に各々装着される。
上記のように構成した請求項６に記載の発明によれば、マスク或いはアイマスクを掛けるだけで、請求項１〜請求項４の作用が得られる。
【００１０】
請求項７に記載の発明は、請求項１〜請求項４に記載の各片は粘着テープで鼻部両側面或いは鼻部を挟んだ両側周辺の顔面皮膚に各々装着され、鼻炎症状を緩和する。
上記のように構成した請求項７に記載の発明によれば、粘着テープで貼るだけで容易に請求項１〜請求項４の作用が得られる。
【００１１】
請求項８に記載の発明は、請求項１〜請求項４の各片は粘着材で鼻部両側面或いは鼻部を挟んだ両側周辺の顔面皮膚に各々装着され、鼻炎症状を緩和する。
上記にように構成した請求項８に記載の発明によれば、粘着材で貼るだけで容易に請求項１〜請求項４の作用が得られる。
【００１２】
請求項９に記載の発明は、請求項１に記載の少なくとも一対の互いにイオン化傾向の異なる異種金属片は、対の組合せが銅，アルミニウム，銀，ニッケル，亜鉛，錫，チタン，鉄，金，プラチナの内の何れか２つである。
上記のように構成した請求項９に記載の発明によれば、銅，アルミニウム，銀，ニッケル，亜鉛，錫，チタン，鉄，金，プラチナの内の何れか２つという一般的な互いに異なる金属の対により、請求項１の作用が得られる。
【００１３】
請求項１０に記載の発明は、請求項２に記載の少なくとも一対の互いに大きさの異なる同種金属片は、銅，アルミニウム，銀，ニッケル，亜鉛，錫，チタン，鉄，金，プラチナの内の何れかである。
上記のように構成した請求項１０に記載の発明によれば、銅，アルミニウム，銀，ニッケル，亜鉛，錫，チタン，鉄，金，プラチナの内の何れかという一般的な金属により、請求項２の作用が得られる。
【００１４】
請求項１１に記載の発明は、請求項１〜請求項８に記載の各片は全て若しくは一部が合金から成っている。
上記のように構成した請求項１１に記載の発明によれば、合金により例えば耐食性の強化、或いは色、光沢等の装飾性などその機能性を向上させた上で、請求項１〜請求項８の作用が得られる。
【００１５】
請求項１２に記載の発明は、請求項３に記載の磁性体片は希土類磁石、アルニコ磁石、フェライト磁石、ネオジム磁石、ラバー磁石、ＳｍＣｏ磁石、プラスチック磁石の何れかである。
上記のように構成した請求項１２に記載の発明によれば、これら一般的な磁性体により容易に請求項３の作用が得られる。
【００１６】
請求項１３記載の発明は、請求項１或いは請求項９に記載の少なくとも一対の互いにイオン化傾向の異なる異種金属片は、一方が電子を放出して陽イオンになり易いイオン化傾向の大きい金属で、他方が電子の放出が少なく陽イオンになり難い金属である。
上記のように構成した請求項１３に記載の発明によれば、陽イオンになり易い金属から放出した電子の陽イオンになり難い金属への移動による微弱電流で請求項１或いは請求項９の作用が得られる。
【００１７】
請求項１４に記載の発明は、請求項１〜請求項１３に記載の各片の対を装着する位置は、鼻部両側面或いは、鼻部側方且つ目と口で挟まれる範囲の頬である。
上記のように構成した請求項１４に記載の発明によれば、効果的且つ確実に請求項１〜請求項１３の作用が得られる。
【００１８】
請求項１５に記載の発明は、請求項１〜請求項１４に記載の花粉症及び鼻炎低減装置は、花粉症鼻炎、アレルギー性鼻炎、風邪性鼻炎、或いはインフルエンザ性鼻炎による鼻水、鼻詰まり、或いはくしゃみの症状を緩和する。
上記のように構成した請求項１５に記載の発明によれば、花粉症をはじめ、アレルギー性、風邪性、或いはインフルエンザ性の幅広い鼻炎に対して、請求項１〜請求項１４の作用が得られる。
【００１９】
請求項１６に記載の発明は、請求項１〜請求項１５に記載の各片は、複数対を鼻部両側面或いは鼻部を挟んだ両側周辺の顔面皮膚に各々装着する。
上記のように構成した請求項１６に記載の発明によれば、複数対の各片により、より効果的に請求項１〜請求項１５の作用が得られる。
【００２０】
請求項１７に記載の発明は、請求項１〜請求項１６に記載の各片は、円板形状や楕円板形状といった閉曲線で囲まれた形状、方形板、三角板、星型板といった多角形状、扇形といった曲線と直線を組み合わせた形状、或いは当該各形状の対の少なくとも一方に孔若しくは溝を設けた形状の何れかである。
上記のように構成した請求項１７に記載の発明によれば、加工が容易で低コスト化が図れたり、肌触りを向上させたり、軽量化を図れたり、装飾性を持たせたりした上で、請求項１〜請求項１６の作用が得られる。
【００２１】
請求項１８に記載の発明は、少なくとも一対の互いにイオン化傾向の異なる異種金属片を、鼻部両側面或いは鼻部を挟んだ両側周辺の顔面皮膚に各々装着する花粉症及び鼻炎低減方法とした。
上記のように構成した請求項１８に記載の発明によれば、当該方法で請求項１の作用が得られる。
【００２２】
請求項１９に記載の発明は、少なくとも一対の互いに顔面皮膚に接する表面積が異なる同種金属片を、鼻部両側面或いは鼻部を挟んだ両側周辺の顔面皮膚に各々装着する花粉症及び鼻炎低減方法とした。
上記のように構成した請求項１９に記載の発明によれば、当該方法で請求項２の作用が得られる。
【００２３】
請求項２０に記載の発明は、少なくとも一対の磁性体片を、鼻部両側面或いは鼻部を挟んだ両側周辺の顔面皮膚に接するか或いは離間して相対するように各々装着する花粉症及び鼻炎低減方法とした。
上記のように構成した請求項２０に記載の発明によれば、当該方法で請求項３の作用が得られる。
【発明の効果】
【００２４】
請求項１に記載の発明によれば、イオン化傾向の異なる異種金属を鼻部両側面或いは鼻部を挟んだ両側周辺の顔面皮膚に各々装着するだけで、低コスト且つ容易に鼻炎症状を確実に緩和できる。装着に伴う会話や運動等の日常生活への制限も無い。
請求項２或いは請求項４に記載の発明によれば、異種の金属を用意する必要が無いので、より低コストで請求項１と同様の効果が得られる。
請求項３に記載の発明によれば、磁性体を用いるので顔面皮膚に接する場合の他、磁束が及ぶ程度の距離であれば離間していても、請求項１と同様の効果が得られる。
請求項４に記載の発明によれば、同種でしかも同じ外形寸の金属を用いる為、より低コストで請求項１或いは２と同様の効果が得られる。
請求項５に記載の発明によれば、眼鏡を掛けるだけで良いので、請求項１〜請求項４に記載の効果に加え、美観を損なわない、装着時の不便や苦痛感が殆どないという効果も得られる。また、元々眼鏡を掛けている人であれば、眼鏡を流用できるので低コストである。繰り返し何回でも使用できるので、ランニングコストも殆どかからない。
元々眼鏡を掛けていない人であっても、伊達眼鏡、ファッショングラス、或いはサングラス等に装着することで容易に対応できる。更に、花粉症対策用眼鏡やゴーグルに装着すれば、相乗効果が得られる。
【００２５】
請求項６に記載の発明によれば、マスク或いはアイマスクを掛けるだけで良いので、請求項１〜請求項４に記載の効果に加え、装着時の不便や苦痛感が殆どない。その上、アイマスクなら請求項５に記載の眼鏡を掛けられない就寝時に対応できるという効果も得られる。特に、花粉症による鼻炎では、鼻水、鼻詰まり、くしゃみといった症状により、安眠できないという苦痛が大きいので、そのメリットは大きい。マスクの場合、従来のマスク装着に伴う問題点は残るが、マスクと併用することになるので、相乗効果により、鼻炎症状をより緩和できる。また、請求項５に記載の眼鏡と併用すれば、更に一層、相乗効果が期待できる。
請求項７に記載の発明によれば、粘着テープで顔面皮膚に貼り付けるので、低コストで容易に請求項１〜請求項４と同様の効果が得られる。また、粘着テープとして例えば肌色の絆創膏状のものとすれば、美観を損なうことや、装着時の不便や苦痛感が殆どない。
請求項８に記載の発明によれば、粘着材で顔面皮膚に貼り付けるので、低コストで容易に請求項１〜請求項４と同様の効果が得られる。
請求項９に記載の発明によれば、一般に多用されている銅，アルミニウム，銀，ニッケル，亜鉛，錫，チタン，鉄，金，プラチナの内の何れか２つの各金属片を用いるので、容易且つ確実に請求項１の効果が得られる。
請求項１０に記載の発明によれば、一般に多用されている銅，アルミニウム，銀，ニッケル，亜鉛，錫，チタン，鉄，金，プラチナの内の何れかの金属片を用いるので、容易且つ確実に請求項２の効果が得られる。
【００２６】
請求項１１に記載の発明によれば、各金属片の全て若しくは一部を合金にしているので、例えば耐食性を強化した合金や、表面の色、光沢等の装飾性を向上させた合金、軽量化を図った合金、或いは低コスト化を図った合金等、その機能性をより向上させた上で、請求項１〜請求項８の効果が得られる。
請求項１２に記載の発明によれば、磁性体片に希土類磁石、アルニコ磁石、フェライト磁石、ネオジム磁石、ラバー磁石、ＳｍＣｏ磁石、プラスチック磁石の何れを用いることで、容易に請求項３の効果が得られる。
請求項１３に記載の発明によれば、陽イオンになり易い金属から放出した電子の陽イオンになり難い金属への移動による微弱電流で確実且つ容易に低コストで請求項１或いは請求項９の効果が得られる。
請求項１４に記載の発明によれば、各片の対の装着位置を鼻部両側面或いは、鼻部側方且つ目と口で挟まれる範囲の頬にすることで、より確実且つ効果的に請求項１〜請求項１３の効果が得られる。
請求項１５に記載の発明によれば、花粉症による鼻炎症状以外にも、アレルギー性、風邪性、或いはインフルエンザ性の幅広い鼻炎症状にも効果的に作用し、請求項１〜請求項１４の効果が得られる。
【００２７】
請求項１６に記載の発明によれば、各片の対を複数としたので、より確実且つ効果的に鼻炎症状を緩和できる。
請求項１７に記載の発明によれば、加工形状を適宜選択することにより、加工が容易で低コスト化が図れたり、肌触りを向上させたり、軽量化を図れたり、装飾性を持たせたりした上で、請求項１〜請求項１６の効果が得られる。
請求項１８に記載の発明によれば、当該方法で請求項１の効果が得られる。
請求項１９に記載の発明によれば、当該方法で請求項２の効果が得られる。
請求項２０に記載の発明によれば、当該方法で請求項３の効果が得られる。
【発明を実施するための最良の形態】
【００２８】
低コストで、会話や運動等の日常生活に支障を来たさず、眼鏡使用者でも使用が容易で、装着時の不便や苦痛感、或いは美観を極力損ねず、確実に鼻炎症状を緩和する花粉症及び鼻炎低減装置及び方法を提供するという目的を、少なくとも一対の互いにイオン化傾向の異なる異種金属片、少なくとも一対の互いに顔面皮膚に接する表面積が異なる同種金属片、或いは少なくとも一対の磁性体片を鼻部両側面或いは鼻部を挟んだ両側周辺の顔面皮膚に各々装着することで実現した。
【実施例１】
【００２９】
以下、本発明を具体化した実施例１について説明する。
図１に示すように、花粉症及び鼻炎低減装置１ａは、直径５ｍｍ程度、厚さ０．５ｍｍ程度の略円板形状をした銅製の金属片２aと、銀製の金属片２ｂ、及び表面が略肌色加工されると共に、裏面に粘着材が設けられた合成樹脂製シートから成り、前記両金属片２ａ，２ｂの外形寸より一回り大きい略円形状にカットされた粘着テープ３，３とで構成される。
前記両金属片２ａ，２ｂは前記粘着テープ３，３の略中央に位置するように粘着材側に貼り付け固定された上、図示しない粘着材保護シートが粘着材全面に貼り付けられて包装される。
使用する際には、使用者はまず前記粘着材保護シートを剥がした後、図２に示すように、前記両金属片２ａ，２ｂを各々、鼻部側方且つ目と口で挟まれる範囲の左右の頬に、対で鼻部が挟まれるように粘着テープ３，３で貼り付ける。この際、前記金属片２ａ，２ｂは対で鼻部が挟まれる位置になっていれば、各々が左右どちら側であってもかまわない。  
【００３０】
前記金属片２ａは銅製、前記金属片２ｂは銀製であるので、イオン化傾向のより大きく陽イオンとなり易い銅製の金属片２ａが電子を放出し、他方のイオン化傾向のより小さく陽イオンになり難い銀製の金属片２ｂへ電子が移動することで、両者間に微弱電流が流れる。この際、両金属片２ａ，２ｂ間に鼻部が挟まれるように配置される為に、前記微弱電流は鼻部を導通する。この微弱電流の作用により、花粉症鼻炎、アレルギー性鼻炎、或いは風邪性鼻炎、インフルエンザ性鼻炎による鼻水、鼻詰まり、或いはくしゃみの症状およびこれに付随する症状を緩和することができる。
この微弱電流が鼻部に導通すると、何故、上述したような各種鼻炎の症状が緩和されるのかは、はっきりわかっていないが、微弱電流の導通により、神経が刺激されたり、血行が改善されるといったような作用が一因として考えられる。
【００３１】
本願出願人が、当該実施例について実際に実験を行い検証したところ、花粉症患者１０人中８人において明確な鼻炎症状の緩和効果が確認されている。鼻炎症状に付随する症状の軽減は、鼻部のみに限られず、目のかゆみ、腫れ、涙など、花粉症全般にいえる症状が軽減した。従って、上述した金属片２ａ、２ｂに起因する微弱電流は、鼻部のみでなく、装着された近辺全体に影響を及ぼし、花粉症の症状としての目への影響も緩和していると考えられる。
尚、本願発明は本実施例１の構成に限定されるものではなく、以下に列記する構成について、適宜変更可能である。
【００３２】
本実施例においては、金属片の対をイオン化傾向の異なる異種金属としているが、その代わりに同じ形状とサイズの磁性体片の対にしても良い。この場合、磁性体の対の各々の顔面皮膚側に位置する極は、Ｎ極−Ｎ極、或いはＳ極―Ｓ極の同極同士であっても良いし、Ｎ極−Ｓ極の異極であっても良い。これら対の間には、微弱電流の代わりに磁束が流れ、上記同様、鼻炎症状を緩和する効果が得られる。
【００３３】
上記磁性体片は、人体に無害で磁束を発するものであれば限定はされず、あらゆる磁性体が適用可能である。例えば希土類磁石、アルニコ磁石、フェライト磁石、ネオジム磁石、ラバー磁石、ＳｍＣｏ磁石、プラスチック磁石等が挙げられる。更に、対の２つは同種、異種何れの磁性体であっても良い。
【００３４】
磁性体片の対の場合、必ずしも顔面皮膚に接している必要はない。磁束が鼻部に導通できれば、皮膚から離間するように配置しておいても良い。例えば、磁性体が直接肌に接すると感触が悪いといった場合には、磁性体と皮膚の間に布等の覆いを設けても良い。
磁性体片の対の場合、磁束が導通すればよいので、対となる磁性体の大きさは同じである構成に限定はされず、両者を異ならせても良い。
【００３５】
金属片の対をイオン化傾向の異なる金属の代わりに、顔面皮膚に接する面積の異なる同種金属の対にしても良い。例えば、同じ外形寸で略円板状のアルミニウム片の対の一方を、略中央に穿孔したドーナッツ形状とする例があげられる。この場合には、同種の金属であっても皮膚に接する面積が異なるので両者間に電位差を生じて微弱電流が流れ、上記同様、鼻炎症状を緩和する効果が得られる。
【００３６】
対となるイオン化傾向の異なる異種金属の組合せ及び顔面皮膚に接する面積の異なる同種金属の対は、本実施例における銅と銀の組合せ及びアルミニウムの組合せに限定はされず、人体に無害であれば他のあらゆる金属の組合せが可能である。例えば、銀、銅、アルミニウム，ニッケル，亜鉛，錫，チタン，鉄，金，プラチナ等の内から選択される何れかの対が挙げられる。
対の一方、或いは両方とも合金であってもかまわない。例えば、ステンレス，洋白等が挙げられる。更に、メッキや塗装等の表面処理が施されていても良い。鉄等の錆び易い金属の場合には好適である。
【００３７】
上記各片は、粘着テープで貼り付け可能であれば他のあらゆる形状が適用可能である。例えば、円板形状や楕円板形状といった閉曲線で囲まれた形状、方形板、三角板、星型板といった多角形状、扇形といった曲線と直線を組み合わせた形状、或いは当該各形状の対の少なくとも一方に孔若しくは溝を設けた形状等が挙げられる。また、板状以外にも、例えば立方体、錐体等が挙げられる。更には、顔面形状に合わせて湾曲させても良い。これらの形状を適宜選択することで、加工が容易で低コスト化が図れたり、肌触りを向上させたり、軽量化を図れたり、或いは装飾性を持たせたりすることが出来る。
上記各片の大きさは一例に過ぎず、限定されるものではない。微弱電流或いは磁束が鼻部に導通するように貼り付け可能であれば、他の大きさも勿論可能である。
【００３８】
顔面皮膚に接する面積の異なる同種金属の対は、一方の貫通孔を略中央部ではなく、偏った位置に設けても良い。或いは、貫通孔ではなく溝を設けても良い。更には、対の両方共に互いに異なる大きさの貫通孔や溝を設けても良い。更には、貫通孔や溝は設けず、外形寸を異なるようにしても良い。更には、形状自体を異なるようにしても良い。
イオン化傾向の異なる異種金属の対は、両者同じ大きさに限定はされず、異なっていても良い。このようにすれば、複数対ある場合にどちらがイオン化傾向の小さい（或いは大きい）方か簡単に判別できるので、誤って同じイオン化傾向の金属同士を対として貼り付けてしまうことを防止できる。
【００３９】
本実施例の粘着テープは一例に過ぎない。よって、粘着テープの表面色、材質、形状は、各片が貼り付け可能であれば、本実施例に限定されず、他の表面色、材質、形状であっても良い。例えば、表面色を透明にしたり、あるいは派手な蛍光色にしたり、模様を付けたりしてファッション性を持たせても良い。材質も合成樹脂製以外の例えば紙製のものであっても良い。形状についても、円形状以外の例えば方形、楕円形、三角形等であっても良い。
粘着テープは対となる各片個々毎に分離したものに限定はされず、一枚の大きな粘着テープで対の各片を全て貼り付けるようにしても良い。
各片は粘着テープの粘着材にて貼り付け固定される構造に限定はされず、例えば粘着テープの合成樹脂製シートに予め一体成形しておく構造が挙げられる。また、各片と粘着テープを別体とし、使用者が自由に各片と粘着テープを組み合わせて貼り付けするようにしても良い。
【００４０】
各片を貼り付ける位置は本実施例の位置に限定されず、鼻部に微弱電流或いは磁束を導通できる位置であれば良い。例えば、頬ではなく鼻自体の両側面に対の各々を貼り付けるようにしても良い。
本実施例では、一対の各片を貼り付けたが、これに限定はされず、複数対の各片を貼り付けても良い。この場合、微弱電流或いは磁束が鼻部の複数箇所にわたって導通する為、より高い鼻炎症状の緩和効果が得られる。
【００４１】
上述した、イオン化傾向の異なる異種金属片の対、顔面皮膚に接する面積の異なる同種金属片の対、及び磁性体片の対は、併用して装着しても良い。
本実施例の構成は、鼻炎症状を緩和する花粉症及び鼻炎低減装置としての他、鼻炎症状を緩和する花粉症及び鼻炎低減方法としても適用可能である。
【実施例２】
【００４２】
次に、本発明を具体化した実施例２について説明する。
図３に示すように、花粉症及び鼻炎低減装置としての眼鏡４は、その鼻支持部であるパッド５，５表面にイオン化傾向の異なる金属片５ａ，５ｂが図示しない粘着材で貼り付けられている。当該金属片５ａ，５ｂは例えば、銅と銀である。両金属片５ａ，５ｂは長さ５ｍｍ、幅３ｍｍ、厚さ０．５ｍｍ程度の略方板状であり、鼻部に当接した際に違和感の無いよう、微妙に湾曲し、角部はＲ取りされている。
前記眼鏡４を装着すると、パッド５，５に設けた金属片５ａ，５ｂが鼻部両側面近傍に当接し、前記した実施例１と同様に、両金属片５ａ，５ｂ間で微弱電流が流れる。当該微弱電流は鼻部を導通し、花粉症鼻炎、アレルギー性鼻炎、或いは風邪性鼻炎、インフルエンザ性鼻炎による鼻水、鼻詰まり、或いはくしゃみの症状を緩和することができる。
【００４３】
本実施例によれば、イオン化傾向の異なる金属片を眼鏡のパッドに装着したので、眼鏡を掛けるだけで容易に実施例１と同様の作用効果を得ることができる。しかも、美観を損なわず、装着時の不便や苦痛感が殆ど無い。また、眼鏡を元々掛けている人であれば、金属片をパッドに貼り付けるだけで良いので、低コストである。その上、一度眼鏡に装着すれば、その後何回でも繰り返し使用できるので、ランニングコストも殆どかからない。更に、花粉症による鼻炎対策の場合、眼鏡と併用することで、目への花粉の侵入を抑制できるので、一層の相乗効果が期待できる。
眼鏡を元々掛けていない人の場合には、例えば伊達眼鏡に装着したり、或いはサングラスに装着することで対応可能である。
尚、本願発明は本実施例２の構成に限定されるものではなく、以下に列記する構成について、適宜変更可能である。
【００４４】
パッドに貼り付ける対は、実施例１同様、イオン化傾向の異なる金属片に限定されず、磁性体片、或いは顔面皮膚に接する面積の異なる同種の金属片としても良い。各対の材質、種類、表面処理が限定されないことも実施例１と同様である。顔面皮膚に接する面積の異なる同種の金属片の場合にその面積を異ならせる手段が限定されないことも実施例１と同様である。
パッドに貼り付けるイオン化傾向の異なる金属片、磁性体片、或いは顔面皮膚に接する面積の異なる同種の金属片の形状及び大きさは特に限定されず、パッドに装着できる、あらゆる形状及び大きさが可能である。また、必ずしもパッド形状及び外形寸と同一である必要も無い。
【００４５】
本実施例では、各対を粘着材でパッドに貼り付ける例を示したが、これに限定はされず、例えば接着剤で固定しても良い。或いは、パッド樹脂にインサート成形しても良い。更に、パッド自体を各対そのもので形成しても良い。
本実施例では、各対を眼鏡の鼻支持部としてパッドに設ける例を示したが、パッド以外の鼻支持部に設けるようにしても良い。例えば、図４に示すように鼻支持部としての突起部６ａ，６ｂに設けても良い。また、図５に示すように鼻支持部として眼鏡フレームの一部７ａ，７ｂの何れかの箇所に設けても良い。
【００４６】
これらパッド以外の鼻支持部に設ける場合においても、その装着方法が限定されないのは同様である。特に、フレームレスタイプの眼鏡であれば、レンズ樹脂端部にインサート成形しても良い。但し、この場合、磁性体以外の片を設ける場合には、顔面皮膚に接する必要があることから、少なくとも一部が露出していなければならない。磁性体片の場合には、必ずしも顔面皮膚に接する必要は無いので、露出していなくても良い。
【００４７】
各対は、一対に限定はされず、複数対設けても良い。この場合、全ての対を同一箇所に設けても良いし、多数箇所に分散するように設けても良い。
眼鏡に設ける対は、イオン化傾向の異なる異種金属片の対、顔面皮膚に接する面積の異なる同種金属片の対、及び磁性体片の対を併用しても良い。
【００４８】
磁性体片を設ける場合には、その他の金属片を設ける場合と異なり、必ずしも顔面皮膚に当接している必要は無い。何故なら磁性体の場合、磁束は顔面皮膚に接していなくても到達できるからであり、その到達範囲である限り、顔面皮膚から離間していても構わない。従って、眼鏡に設ける位置は必ずしも顔面皮膚に接する鼻支持部である必要は無く、鼻部両側面或いは鼻部を挟んだ両側周辺の顔面皮膚に相対する位置であればどこでも良い。
【００４９】
眼鏡の鼻支持部に設ける各片の対は、眼鏡に対する装飾機能を持たせても良い。例えば、フレームにインサート成形して設けるような場合、その外表面側にクロームメッキや金メッキ等を施し、光沢性を持たせたり、図柄を刻印すること等が可能である。
眼鏡フレームが金属製であるような場合、そのフレーム自体を各片の対となるように構成しても良い。具体的には、例えばイオン化傾向の異なる金属片の場合、フレームの左右半々を各々銅，銀，アルミニウム，ニッケル，亜鉛，錫，チタン，鉄，金，プラチナ，ステンレス，洋白等の金属の内の異なる２つの金属にした上、両者間を絶縁処理し、且つ両フレーム材を各々鼻支持部で露出させ、装着時に顔面皮膚上に当接させる構造とする。磁性体片の場合には、フレームの左右半々の鼻支持部での極性を異ならせるように配置する。顔面皮膚に接する面積の異なる同種の金属片の場合には、フレームの左右半々の鼻支持部で顔面皮膚に接する面積を異ならせるように配置する。
【００５０】
本実施例で眼鏡に設ける各片は眼鏡とは別体構造とし、使用者が自由に着脱可能な構造としても良い。具体的には、これら各片を有する、或いはこれら各片自体の鼻支持部に螺子部を設け、眼鏡フレームに対し脱着可能に締付け固定する構造が挙げられる。勿論、着脱可能にできれば螺子構造に限定はされず、フック構造を用いたり、ピン構造を用いたり等、その構造は限定されない。このような着脱可能な構造とすれば、鼻炎対策をする必要がない場合には外して、通常の鼻指示部に交換しておくことができる。また、異なった装飾性を持たせた各片を複数用意すれば、その時々の好みに応じて、装飾を変えて楽しむこともできる。
【００５１】
本実施例における眼鏡とは、度の入った一般的な眼鏡のみならず、度の有無に限定されないファッショングラス、サングラス、伊達眼鏡、或いは防護眼鏡、更にはゴーグルまでを広く含む概念である。
本実施例における眼鏡の鼻支持部とは、一般的なパッドを有する形状のみならず、眼鏡を顔面上に支持する為に鼻に接する部分及び、鼻に隣接する周囲の顔面に接する部分全てを含む概念である。
以上、各実施例にて本願発明の構成を説明してきたが、これら各実施例以外にも以下に列記するような構成が適用可能である。
即ち、
【００５２】
イオン化傾向の異なる異種金属片、磁性体片、或いは顔面皮膚に接する面積の異なる同種金属片の対を、例えばアイマスクやマスクに設け、その装着時に鼻部両側面或いは鼻部を挟んだ両側周辺の顔面皮膚に各々装着させるようにしても良い。これによっても実施例１或いは実施例２と同様の効果が得られる。特に、アイマスク装着の場合、前記実施例２における眼鏡を掛けられない就寝時に対応できるという効果が得られる。花粉症による鼻炎では、鼻水、鼻詰まり、くしゃみといった症状により、安眠できないという苦痛が大きいので、そのメリットは大きい。また、マスク装着の場合、従来のマスク使用に伴う問題点は残るが、花粉症による鼻炎対策では呼吸器系統への花粉の侵入を抑制できるので、一層の相乗効果が期待できる。風邪やインフルエンザに起因した鼻炎対策では、周囲への細菌拡散防止との相乗効果が期待できる。
【００５３】
上記のアイマスクやマスクに各片を設ける場合、その内部に形状成形用のワイヤ等の金属フレームがある場合には、当該フレームの材質自体をイオン化傾向の異なる異種金属片、磁性体片、或いは顔面皮膚に接する面積の異なる同種金属片の対となるように構成しても良い。具体的には、アイマスクやマスク内に配置する左右半々２本のワイヤを、各々銅，銀，アルミニウム，ニッケル，亜鉛，錫，チタン，鉄，金，プラチナ，ステンレス，洋白等の金属の内の異なる２つの金属にした上、両者間を絶縁処理し、且つ両ワイヤ材を各々鼻位置近傍で露出させ、装着時に顔面皮膚上に当接させる構造とする。また、ワイヤを磁性体とする場合には、この露出は必ずしも必要ではない。
【００５４】
イオン化傾向の異なる異種金属片、磁性体片、或いは顔面皮膚に接する面積の異なる同種金属片の対は、前記実施例１における粘着テープを用いず、それら材質自体の表面に直接粘着材を設け、顔面皮膚に貼り付けても良い。この場合、各片の外面側が露出することになるが、表面を例えば略肌色にコーティングして目立たなくしたり、或いは逆に色や光沢を付けたり模様を刻印したりして装飾性を持たせることが可能である。
【００５５】
更に、これら以外にも、イオン化傾向の異なる異種金属片、磁性体片、或いは顔面皮膚に接する面積の異なる同種金属片の対を顔面皮膚に装着するあらゆる方法が適用可能である。本願請求項１〜請求項４，及びその従属請求項，更には請求項１８〜請求項２０の各発明の概念は、これら顔面皮膚に装着する方法自体には何ら限定されるものではない。
【００５６】
イオン化傾向の異なる異種金属片、磁性体片、或いは顔面皮膚に接する面積の異なる同種金属片の対は形状的に必ずしも分離している必要はなく、対を一体的に形成し、顔面皮膚に装着するようにしても良い。但し、両者間は電気的には絶縁されている必要がある。具体的構造としては、例えば樹脂等の絶縁材を介して対の両片を一体成形する構造が挙げられる。このようにすれば、対の両片を別々に装着する必要が無く、便利である。
イオン化傾向の異なる異種金属片、磁性体片、或いは顔面皮膚に接する面積の異なる同種金属片の対を各々、両鼻腔内に装着するようにしても良い。この場合、固定方法としてはクリップ等による方法が挙げられる。但し、大きさは鼻腔内の呼吸を妨げない大きさとする必要がある。
【００５７】
イオン化傾向の異なる少なくとも１組の金属を、各々粉末状微粒子にしてクリーム液状に加工し、鼻部両側面或いは鼻部を挟んだ両側周辺の顔面皮膚に各々塗布しても良い。但しこの場合、組となる各液を別々に塗布する必要がある。また、一種のみの金属粉入りクリーム液を鼻部両側面或いは鼻部を挟んだ両側周辺の顔面皮膚に各々塗布面積を異ならせて塗布する。これらの構成によれば、例えば、化粧品類や日焼けクリーム等に混入させて塗布したり、或いは専用の鼻炎症状緩和クリームとして塗布するなどが可能である。よって、美観を損なわず、装着時の不便や苦痛感が殆ど無く、実施例１同様の効果が得られる。
【００５８】
以下に、「特許請求の範囲」に記載した以外で、以上に記載した実施例から把握できる発明（技術的思想）を記載する。
（１） 前記磁性体片はマスク或いはアイマスクの内面、外面、或いは内部の鼻位置近傍に配置され、当該マスク或いはアイマスク装着に伴い鼻部両側両側面或いは鼻部を挟んだ両側周辺の顔面皮膚に各々装着され、鼻炎症状を緩和することを特徴とする、請求項３に記載の花粉症及び鼻炎低減装置。
（２） 前記の少なくとも一対の互いに大きさの異なる同種金属片は、一方が円板状で、他方が同じ外形寸の円板状の略中央に穿孔した略ドーナッツ形状とすることで顔面皮膚に接する表面積を互いに異ならせることを特徴とするであることを特徴とする、請求項４に記載の花粉症及び鼻炎低減装置。
（３） 前記の眼鏡の少なくとも一対の鼻支持部は、当該眼鏡装着に伴い鼻部両側面或いは鼻部を挟んだ両側周辺の顔面皮膚に当接するパッド形状であることを特徴とする、請求項５に記載の花粉症及び鼻炎低減装置。
（４） 前記の少なくとも一対の各片は眼鏡の少なくとも一対の鼻支持部に、顔面皮膚当接可能に露出するように各々樹脂インサート成形されて配置され、当該眼鏡装着に伴い鼻部両側面或いは鼻部を挟んだ両側周辺の顔面皮膚に各々装着され、鼻炎症状を緩和することを特徴とする、請求項５に記載の花粉症及び鼻炎低減装置。
（５） 眼鏡の少なくとも一対の鼻支持部は、上記の少なくとも一対の各片自体で構成され、当該眼鏡装着に伴い鼻部両側面或いは鼻部を挟んだ両側周辺の顔面皮膚に各々装着され、鼻炎症状を緩和することを特徴とする、請求項５に記載の花粉症及び鼻炎低減装置。
（６） 前記の少なくとも一対の各片は眼鏡のフレーム樹脂若しくはレンズ樹脂に、顔面皮膚当接可能に露出するように各々樹脂インサート成形されて配置され、当該眼鏡装着に伴い鼻部両側面或いは鼻部を挟んだ両側周辺の顔面皮膚に各々装着され、鼻炎症状を緩和することを特徴とする、請求項１〜請求項４の何れかに記載の花粉症及び鼻炎低減装置。
（７） 前記磁性体片は眼鏡の、装着時における鼻部両側面或いは鼻部を挟んだ両側周辺の顔面皮膚に離間して相対する位置に設けられ、当該眼鏡装着により鼻炎症状を緩和することを特徴とする請求項３に記載の花粉症及び鼻炎低減装置。
（８） 前記の少なくとも一対の各片は、眼鏡本体に対し別体構造であり、適宜脱着交換可能に当該眼鏡本体の一対の鼻支持部に配置されることを特徴とする、請求項５に記載の花粉症及び鼻炎低減装置。
（９） 前記の少なくとも一対の各片は、眼鏡本体の金属フレーム自体で構成されていることを特徴とする、請求項５に記載の花粉症及び鼻炎低減装置。
（１０）前記の少なくとも一対の各片は、その表面に眼鏡に対する装飾機能を有していることを特徴とする、請求項５或いは上記（３）〜（９）の何れかに記載の花粉症及び鼻炎低減装置。
（１１）前記の少なくとも一対の各片は、マスク或いはアイマスク内の形状形成用金属フレーム自体で構成されていることを特徴とする、請求項６に記載の花粉症及び鼻炎低減装置。
（１２）少なくとも一組のイオン化傾向の異なる異種金属粉を各々混入した少なくとも一組のクリーム液を、鼻部両側面或いは鼻部を挟んだ両側周辺の顔面皮膚に各々塗布し、鼻炎症状を緩和することを特徴とする花粉症及び鼻炎低減装置。
（１３）一種のみの金属粉を混入したクリーム液を鼻部両側面或いは鼻部を挟んだ両側周辺の顔面皮膚に各々大きさを異ならせて塗布し、鼻炎症状を緩和することを特徴とする花粉症及び鼻炎低減装置。
【産業上の利用可能性】
【００５９】
眼鏡、マスク、アイマスク、或いは化粧液に適用することで、これら本来の機能には無かった鼻炎症状緩和機能という全く新たな機能を付与し、高機能商品化を図ることもできる。
【図面の簡単な説明】
【００６０】
【図１】実施例１を示す概略斜視図。
【図２】実施例１の装着状態を示す正面図。
【図３】実施例２を示す概略正面図。
【図４】実施例２の変形例を示す概略正面図。
【図５】実施例２の他の変形例を示す概略正面図。
【符号の説明】
【００６１】
１ａ…花粉症及び鼻炎低減装置
２ａ，５ａ…銅製の金属片
２ｂ，５ｂ…銀製の金属片
３…粘着テープ
４…花粉症及び鼻炎低減装置としての眼鏡
５…鼻支持部としてのパッド
６ａ，６ｂ…鼻支持部としての突起部
７ａ，７ｂ…鼻支持部としての眼鏡フレームの一部
【図１】
2005103144.tif 000003
【図２】
2005103144.tif 000004
【図３】
2005103144.tif 000005
【図４】
2005103144.tif 000006
【図５】
2005103144.tif 000007